(57)【要約】      （修正有）【課題】写真、ポスター、チケット、レコード、ＣＤ等又はその複製物あるいはその他の物件（被保持物）を収納・保持してもその厚みによって型崩れすることがないスペーサを備えた冊子を提供する。【解決手段】所定の厚みを有するスペーサ６を冊子１の背５側に配置し、保持用頁７の背５側をスペーサ６に挟持又は保持させると共に、スペーサ６の両側面の全面が隣接して配置された他の保持用頁７又は紙面２ｂに接着されないようにしたことを特徴とする。【選択図】図１
0003214125.tif 000002
【実用新案登録請求の範囲】
【請求項１】
被保持物を保持するための保持用頁がスペーサを介して綴じ込まれたスペーサを備えた冊子において、
所定の厚みを有するスペーサを前記冊子の背側に配置し、前記保持用頁の背側を前記スペーサに挟持させると共に、当該前記スペーサの両側面の全面が隣接して配置された他の保持用頁又は紙面に接着されないようにしたことを特徴とするスペーサを備えた冊子。
【請求項２】
被保持物を保持するための保持用頁がスペーサを介して綴じ込まれたスペーサを備えた冊子において、
所定の厚みを有するスペーサを前記冊子の背側に配置し、前記保持用頁の背側を前記スペーサの一方側の側面に保持させると共に、当該前記スペーサの両側面の全面が隣接して配置された他の保持用頁又は紙面に接着されないようにしたことを特徴とするスペーサを備えた冊子。
【請求項３】
請求項１又は２に記載のスペーサを備えた冊子において、
所定枚数の紙面と前記スペーサに挟持又は保持させた保持用頁とが交互に綴じ込まれたことを特徴とするスペーサを備えた冊子。
【請求項４】
請求項１から３のいずれか１項に記載のスペーサを備えた冊子において、
本文に貼り込まれた見返しの背側部分を表紙の裏側に貼り合わせることにより表紙と本文を接合したことを特徴とするスペーサを備えた冊子。
【請求項５】
請求項１から４のいずれか１項に記載のスペーサを備えた冊子において、
背の様式がホローバックであることを特徴とするスペーサを備えた冊子。
【請求項６】
請求項１から４のいずれか１項に記載のスペーサを備えた冊子において、
背の幅サイズは前記スペーサが配置された背側の厚みとほぼ同しサイズとされていることを特徴とするスペーサを備えた冊子。
【考案の詳細な説明】
【技術分野】
【０００１】
本考案は、スペーサを備えた冊子に関し、詳しくは、写真、ポスター、チケット、レコード、ＣＤ等又はその複製物、その他の物件を収容可能なポケット等の保持用頁が紙面と紙面の間に綴じ込まれたスペーサを備えた冊子に関する。
【背景技術】
【０００２】
書物一般を示す冊子は、表紙、背、裏表紙、本文（中身）、表紙と本文の間及び裏表紙と本文の間に配設された見返しを備えて構成されている。そして、例えば、見本帳やアルバムのような冊子の場合には内部に見本となる物件や写真などを保持するための袋状のポケットや所定のサイズの写真が収納可能な大きさのポケットが複数設けられた台紙などの保持用頁が綴じ込まれた状態で製本されている。一方で、例えば、有名芸能人の伝記や活動などを記録したファン向けの本の場合には紙面と紙面の間に袋状のポケットが綴じ込まれ、そのポケットの中にゆかりのある写真、ポスター、チケット、レコード、ＣＤ等又はその複製物あるいはその他の物件（被保持物）を収納・保持させた冊子も提供されている。
【０００３】
これらの冊子のように、紙面と紙面の間に綴じ込まれたポケット台紙のような被保持物を保持するための保持用頁に種々の被保持物を保持させた場合には本体が膨らんでしまい、表紙が歪んだり、被保持物の重さによって本体が表紙から脱落してしまうおそれがある。そのため、冊子の中に保持用頁を綴じ込んだ冊子の場合には被保持物の厚みを予め考慮して製本することが行われている。そのような冊子としては、例えば、特許文献１，２に示すものがある。特許文献１は見本帳を開示しており、この見本帳は表紙とその中に綴じ込まれる複数の台紙を備え、背表紙側の基端側の台紙と台紙の間に接着剤を所定の厚みに塗布し、この接着剤をスペーサとして利用することにより、台紙に貼付されるタイルなどのサンプルの厚みをカバーできるようにしたものである。
【０００４】
また、特許文献２は台紙帳を開示しており、この台紙帳は、特許文献１の見本帳と同様に、接着剤をスペーサとして利用し、台紙を一定間隔に保持し、且つ背表紙と平行に帯状の厚紙を台紙相互間の背表紙の近傍に配設したものである。
【先行技術文献】
【特許文献】
【０００５】
【特許文献１】特開２０００−３４３８５６号公報
【特許文献２】実公昭６３−２５１７６号
【考案の概要】
【考案が解決しようとする課題】
【０００６】
しかしながら、上述した特許文献１，２の構成は、いずれも接着剤をスペーサとして用いものであるため、接着剤を所定の厚みに調整することが難しいという問題がある。また、特許文献２の図４において従来例として示された台紙帳は、背側にスペーサとしての厚紙を配置した構造となっているが、スペーサの側面部は両面とも全て接着されているので台紙を大きく開くのに困難性があり、台紙を無理に開くとスペーサ部分が剥がれてしまうおそれがある。そのため、引用文献２の図５に示す従来例では折り曲げ部分に可撓性のよいフィルムを介在させて折り曲げやすくしたものであるが、フィルム部分は非常に脆弱であるため被保持物を収納・保持した状態では被保持物の重さによってフィルムが歪んでしまい、保持用頁が表紙からはみ出してしまうおそれがある。
【０００７】
そこで、本考案は、かかる問題点に鑑みなされたもので、紙面と紙面の間に綴じ込まれた保持用頁に写真、ポスター、チケット、レコード、ＣＤ等又はその複製物あるいはその他の物件（被保持物）を収納・保持することが可能であって、被保持物の厚みによって表紙が歪むこともなく、しかも被保持物の重みによって表紙から本体部分が脱落することのないスペーサを備えた冊子を提供することを目的とする。
【課題を解決するための手段】
【０００８】
上記課題を解決するために請求項１に記載の本考案は、被保持物を保持するための保持用頁がスペーサを介して綴じ込まれたスペーサを備えた冊子において、所定の厚みを有するスペーサを前記冊子の背側に配置し、前記保持用頁の背側を前記スペーサに挟持させると共に、当該前記スペーサの両側面の全面が隣接して配置された他の保持用頁又は紙面に接着されないようにしたことを特徴とする。
【０００９】
上記課題を解決するために請求項２に記載の本考案は、被保持物を保持するための保持用頁がスペーサを介して綴じ込まれたスペーサを備えた冊子において、所定の厚みを有するスペーサを前記冊子の背側に配置し、前記保持用頁の背側を前記スペーサの一方側の側面に保持させると共に、当該前記スペーサの両側面の全面が隣接して配置された他の保持用頁又は紙面に接着されないようにしたことを特徴とする。
【００１０】
上記課題を解決するために請求項３に記載の本考案は、請求項１又は２に記載のスペーサを備えた冊子において、所定枚数の紙面と前記スペーサに挟持又は保持させた保持用頁とが交互に綴じ込まれたことを特徴とする。
【００１１】
上記課題を解決するために請求項４に記載の本考案は、請求項１から３のいずれか１項に記載のスペーサを備えた冊子において、本文に貼り込まれた見返しの背側部分を表紙の裏側に貼り合わせることにより表紙と本文を接合したことを特徴とする。
【００１２】
上記課題を解決するために請求項５に記載の本考案は、請求項１から４のいずれか１項に記載のスペーサを備えた冊子において、背の様式がホローバックであることを特徴とする。
【００１３】
上記課題を解決するために請求項６に記載の本考案は、請求項１から４のいずれか１項に記載のスペーサを備えた冊子において、背の幅サイズは前記スペーサが配置された背側の厚みとほぼ同しサイズとされていることを特徴とする。
【考案の効果】
【００１４】
本考案に係るスペーサを備えた冊子によれば、冊子の背側に所定の厚みを有するスペーサを配置して紙面と紙面との間又は保持用頁と保持用頁との間にスペーサを介在させると共に、スペーサの両側面の全面が隣接する紙面又は保持用頁に接着されないようにしたので保持用頁に被保持物を収納又は保持してもスペーサによって被保持物の厚みが確保され、表紙が変形することなくしっかりと保持されるという効果がある。その結果、本文が表紙から脱落するおそれがない。また、スペーサの両側面の全面が隣接する紙面又は保持用頁に接着されていないのでページめくりの際にも支障が生じることがなく、しかも、背側の接着が保持されているので冊子としての形状も確実に保つことができる効果がある。
【図面の簡単な説明】
【００１５】
【図１】本考案に係るスペーサを備えた冊子の好ましい一実施形態を示す斜視図である。
【図２】スペーサ及びポケットの詳細を示す下部側の斜視図である。
【図３】表紙の内側の構成を示す斜視図である。
【図４】冊子の他の実施形態を示す断面図である。
【図５】ポケットに被保持物を収納した状態を示す上部側の斜視図である。
【図６】ポケットに被保持物を収納した状態を示す平面図である。
【考案を実施するための形態】
【００１６】
［上製本の構成］
以下、本考案に係るスペーサを備えた冊子について、好ましい一実施形態に基づいて詳細に説明する。図１は、本考案に係るスペーサを備えた冊子の実施の形態を示す断面図、図２はスペーサ及びポケットの詳細を示す下部側の斜視図である。図示されたスペーサ付き冊子（以下、単に「冊子」という。）１は、概略として、複数の紙面２ｂからなる丁合２ａと、それぞれの丁合２ａと丁合２ａの間に配置された複数のスペーサ６と、スペーサ６の間に挟持されるようにして綴じ込まれた保持用頁であるポケット７と、複数の丁合２ａとポケット７によって構成される本文２と、本文２の一方側の面を覆う表紙３と、本文２の反対側の面を覆う裏表紙４と、本文２の背面を覆うように表紙３及び裏表紙４に連結させて設けられた背５を備えて構成されており、その製本様式は無線綴じ又は網代（あじろ）綴じによる上製本とされている。
【００１７】
本文２は、Ｎ枚（例えば７枚）の紙面２ｂからなる丁合２ａが１つのブロックとされ、この丁合２ａが全体でＭ個（例えば、９個）からなり、その丁合２ａ毎に１つのポケット７が介挿されている。そして、各紙面２ｂには文章、イラスト、写真等が印刷されている。尚、紙面２ｂの全てを印刷物とすることなく、一部又は全部を白紙とすることにより、ユーザが自由に詩歌、感想文、メモ等を記入できるように構成することも可能である。各紙面２ｂの紙質、紙厚等は耐久性、用途等を考慮して適宜に決定される。また、表紙３及び裏表紙４は同一体裁とされた厚紙等により形成され、その内側には見返し紙８が取り付けられている。そして、見返し紙８は、図３に示すように、本文２に綴じ込まれた見返し紙８の背５側部分が表紙３（裏表紙４）の裏側に貼り付けられ、高級な仕上がり感が得られる上製本とされている。さらに、表紙３、裏表紙４及び背５には、表面に布を貼り付けたり、カバーを付属させたり、さらには、帯びと称する本を宣伝するための帯状の紙片を表紙３から裏表紙４にかけて取り付けることもできる。さらに、栞が付けられることもある。また、表紙３及び裏表紙３の背５側には縦方向に溝８ａ，８ａがそれぞれ設けられており（図６参照）、ページめくりが容易となるようにされている。
【００１８】
背５は、図２に示すように、冊子１の開閉が容易に行なえるように腔背（ホローバック）９とされている。尚、本実施形態ではホローバックを角背（かくぜ）タイプとしているが丸背（まるぜ）タイプであってもよく、また、本文２の紙面２ｂの紙質、厚み等によってはホローバックに代えてタイトバック、フレキシブルバック等とすることもできる。本実施形態の場合にはページを開いたときの開き易さや背の接着部にかかる負荷などの点からホローバックしている。背５の幅サイズは本文２のスペーサが配置された背５側の厚みとほぼ同しサイズとされている。
【００１９】
スペーサ６は、紙面２ｂの印刷範囲にあまり影響を与えない程度の幅サイズ（紙面２ｂが２１０ｍｍ×２９７ｍｍのＡ４サイズの場合には、例えば、７ｍｍ程度）で、背５の長さ（２９７ｍｍ）と等しい長さと、所定の厚み（例えば、２ｍｍ）を有する厚紙が用いられ、各丁合２ａとの間に共に綴じ込まれている。スペーサ６が存在することによって所定の被保持物をポケット７内に収納しても被保持物の厚みが確保されるので冊子が分厚い状態（特に、小口側が開く状態）となり、表紙３や裏表紙４が変形することが防止される。また、背５側の接着部分に負荷がかからないので本文２と背５とがしっかりと保持され、本文２が脱落する懸念が解消されている。尚、スペーサ６及びポケット７が設けられていることにより、ポケット７に被保持物が収納・保持されていない場合には各丁合２ａ間の背５側にはスペーサ６の厚みとポケット７の厚み分の隙間が生じている。本実施形態では、スペーサ６は縦方向に切り込みが形成されており、その切り込みの間にポケット７が挟持されている。
【００２０】
また、スペーサ６は、図４に示すように、縦方向に２分されたものではなく、１つの厚紙として配置することもできる。この場合、ポケット７はスペーサ６（図４参照）の一方側の側面に沿って取り付けられる。尚、本実施形態におけるポケット７の仕様、形状等は二分されたスペーサ６を用いる場合と同様であり、配置する数も同じとすることができる。尚、ポケット７はスペーサ６の両側面のうちのいずれか一方側に取り付けることができる。また、スペーサ６の両側面の全面は隣接して配置された他のポケット７又は紙面２ｂに接着されないようにされており、これによりページめくりの際に、スペーサ６部分に負荷がかからないようになっている。この場合、スペーサ６の両側面の全面の全てが隣接して配置された他のポケット７又は紙面２ｂに接着されないことを意味するのではなく、スペーサ６の側面の背５側の一部が隣接して配置された他のポケット７又は紙面２ｂに接着されてもよいことを意味する。
【００２１】
ポケット７は、内部に収納物を収納可能な袋状に形成され、上部側に開口部が位置するようにして丁合２ａと丁合２ａの間の数カ所（例えば７箇所）に配置されている。また、ポケット７は、図１に示すように、その背５側の長さが紙面２ｂの長さ（Ａ４サイズであれば縦方向の長さである２９７ｍｍ）よりもやや短いサイズとされ、紙、セロファン紙、ポリ塩化ビニール、ポリエチレン、ポリプロピレン、ポリエステル、ナイロン等を素材にして上方が開口した袋状に形成されている。ポケット７は、内部に何も収納していない状態で、且つ、上冊子1を起立させて本文２を開いた状態としても自重で型崩れが生じないような素材とするのが望ましいが、ポケット７を構成する素材は収納物の厚みや大きさ、重さ等に応じて適宜選択することができる。また、ポケット７に収納された収納物を視認できるようにしたい場合には、ポケット７を半透明や透明な素材によって形成する。さらに、ポケット７は、異なる複数の着色とし、色ごとに収納品を仕分けできるようにすることもできる。本実施形態の場合には保持用頁として袋状のポケット７としたが、保持用頁はポケット７に限らず、例えば、写真を収納可能な収納部を複数備えた台紙や、台紙の表面に貼剥可能なフィルムが設けられたアルバム用台紙など、被保持物を保持可能な機能を有する頁を保持用頁として綴じ込むことができる。また、丁合２ａを綴じ込まずに全てを保持用頁であるポケット７とスペーサ６によって製本することもできる。
【００２２】
上述した冊子１は、例えば、一世を風靡したアイドル、歌手、俳優等の活動を記録した出版物として発行される。この場合、各紙面２ｂには伝記やエピソード、実績などが記載されると共に、ポケット７にはゆかりのある写真、ポスター、チケット、レコード、ＣＤ等又はその複製物あるいはその他の物件が被保持物として収納又は保持されて発行される。図５，６にポケット７の内部に被保持物１０を収納した状態を示す。
【００２３】
［実施形態の効果］
本実施形態に係るスペーサを備えた上製本によれば、図１及び図２に示すように、ポケット７が綴じ込まれる背５側に所定の厚みを有するスペーサ６，６を配置し、保持用頁としてのポケット７をスペーサ６，６で挟持又はその一方側の側面に保持させたので、ポケット７に収納物を納めてもその厚みを確保できるので冊子１の形状が保持されるという効果がある。また、スペーサ６の両側面の全面が隣接して配置された他のポケット７又は紙面２ｂに接着されないようにしたのでページがめくり易く紙面２ｂの開閉が容易に行なえるという効果がある。
【００２４】
また、本実施形態に係るスペーサを備えた上製本によれば、本文２を構成する所定枚数の紙面２ｂとスペーサ６とが交互に綴じ込まれていることにより、分厚い収納物や多数の収納物がポケット７内に収納された場合でも、本全体が分厚くなったり、小口側が背５側より開いた状態になるのを防止できるという効果がある。
【００２５】
また、本実施形態に係るスペーサを備えた上製本によれば、本文２に貼り込まれた見返し紙８の背５側部分を表紙３及び裏表紙４の裏側に貼り合わせて表紙３及び裏表紙４と本文２を接合したので、並製本に対して仕上がりの高級化や美観を高めることができるという効果がある。
【００２６】
また、本実施形態に係るスペーサを備えた上製本によれば、背５の様式をホローバック９としたことにより、背５側の接着部分に負荷がかからず本文２が抜け落ちることが防止されるという効果がある。
【００２７】
また、本実施形態に係るスペーサを備えた上製本によれば、背５の幅サイズはスペーサ７が配置された背５側の厚みとほぼ同じサイズとされているので、被保持物を保持させても保持させなくても通常の書籍（本）と何ら変わらない装幀とすることができるという効果がある。
【００２８】
［他の実施の形態］
なお、本考案は、上記実施例に限定されず、本考案の技術思想を逸脱あるいは変更しない範囲内で種々な変形が可能である。
【産業上の利用可能性】
【００２９】
以上のように、好ましい各実施形態について説明したが、本考案に係るスペーサを備えた上製本は、アルバム、見本帳等に採用可能である。
【符号の説明】
【００３０】
１      冊子
２      本文
２ａ    丁合
２ｂ    紙面
３      表紙
４      裏表紙
５      背
６      スペーサ
７      ポケット
８      見返し紙
９      腔背（ホローバック）
１０    被保持物
【図１】
0003214125.tif 000003
【図２】
0003214125.tif 000004
【図３】
0003214125.tif 000005
【図４】
0003214125.tif 000006
【図５】
0003214125.tif 000007
【図６】
0003214125.tif 000008